(57)【要約】【課題】予め設定した時間に放送受信装置を待機状態にしておき、電源がＯＮされてから素早く映像を表示する。【解決手段】この為に、映像を表示する表示手段と、前記表示手段の電源を制御する第１の電源回路と、映像信号を受信し前記表示手段へ供給する受信手段と、前記受信手段の電源を制御する第２の電源回路と、前記第２の電源回路を動作状態にさせる時刻を設定する予約手段と、所定の入力操作に応じて前記第１の電源回路を制御し、前記第２の電源回路を前記予約手段に設定された時刻に応じて制御する電源制御手段とを有する。【選択図】      図１
2007150978.tif 000002
【特許請求の範囲】
【請求項１】
放送信号を受信し、映像信号を出力する受信手段と、
前記映像信号を表示する表示手段と、
前記表示手段に電源電圧を供給する第１の電源回路と、
前記受信手段に電源電圧を供給する第２の電源回路と、
前記第２の電源回路が動作状態になる起動補助開始時刻と起動補助終了時刻を設定し、待機状態を得る予約手段と、
前記待機状態のときに所定の操作入力があった場合は、前記第２の電源回路の動作状態を維持し、前記第１の電源回路を動作状態に制御する電源制御手段と
を有することを特徴とする放送受信装置。
【請求項２】
前記予約手段は、複数の前記起動補助開始時刻及び起動補助終了時刻を設定する手段を含むことを特徴とする請求項１記載の放送受信装置。
【請求項３】
前記電源制御手段は、前記待機状態と異なる期間に、電源オンの操作入力があった場合には、前記第１の電源回路と第２の電源回路の両方を動作状態に制御する手段を含むこと特徴とする請求項１記載の放送受信装置。
【請求項４】
前記電源制御手段は、前記予約手段に設定されている起動補助開始時刻と前記時計手段の現時刻とを参照し、前記起動補助開始時刻になった場合、前記第２の電源回路を動作させ前記受信手段を待機状態にさせる手段を含むことを特徴とする請求項１記載の放送受信装置
【請求項５】
前記受信手段が待機状態である場合、前記電源制御手段は前記予約手段に設定されている起動補助終了時刻と前記時計手段の現時刻とを参照し、前記起動補助終了時刻になった場合、前記第２の電源回路をオフさせ、前記受信手段の待機状態を終了させる手段を含むことを特徴とする請求項１記載の放送受信装置
【請求項６】
前記受信手段が待機状態であり、前記予約手段に前記起動補助終了時刻が設定されていない場合、一定時間前記受信手段の待機状態を維持した後に自動的に待機状態を終了させる手段を含むことを特徴とする請求項１記載の放送受信装置。
【請求項７】
前記予約手段に前記起動補助終了時刻が設定されていない場合、前記受信手段を待機状態にさせる一定時間は、入力操作によって前記予約手段に設定する手段であることを特徴とする請求項４記載の放送受信装置。
【請求項８】
前記予約手段に前記起動補助終了時刻が設定されており、前記放送受信装置の動作中に電源オフの入力操作があった場合、設定されている前記起動補助終了時刻まで前記受信手段の待機状態を継続させる手段を有することを特徴とする請求項１記載の放送受信装置。
【請求項９】
前記起動補助終了時刻経過後、前記放送受信装置の動作が継続されている場合、前記放送受信装置の電源オフの入力操作に応じて前記受信手段の待機状態を終了させる手段を有することを特徴とする請求項１記載の放送受信装置。
【請求項１０】
前記予約手段は、起動補助設定時刻を適用する曜日を入力操作によって指定できる手段を含むことを特徴とする請求項１記載の放送受信装置
【発明の詳細な説明】
【技術分野】
【０００１】
本発明は、放送受信装置に関し、予め予約設定した時間内では、電源オン操作から映像が表示されるまでの時間を短縮できるように改良したものである。
【背景技術】
【０００２】
周知のように近年では、テレビジョン放送のディジタル化が推進されてきている。例えば、日本国内においてはＢＳ（broadcasting satellite）ディジタル放送及び１１０度ＣＳ（communication satellite）ディジタル放送等の衛星ディジタル放送だけでなく、地上ディジタル放送も開始されている。
【０００３】
ディジタルテレビジョン放送においては、データが圧縮されるため、アナログテレビジョン放送に比べて、多チャンネル高画質なコンテンツ（番組）を放送することが可能である。
【０００４】
例えば寝室や個室にテレビジョン受信装置（以下ＴＶと略記する）が設置されている場合、ユーザが横になってＴＶを視聴することが多い。また視聴していない状態で長時間ＴＶがついていることが多い。その為ＴＶには予め設定された時刻にＴＶの電源をオフする「おやすみタイマー」が附属されているものがある。しかし、「おやすみタイマー」はユーザが意図的に時間を設定しなくてはならない。その為、「おやすみタイマー」を設定していない状態で、一定時間ユーザによる入力操作が行われなかった場合に、ユーザはＴＶを視聴していない状態であると判断しＴＶの電源をオフするＴＶがある（特許文献１参照）。
【特許文献１】特開２０００−１７５３５３
【発明の開示】
【発明が解決しようとする課題】
【０００５】
近年、放送受信装置がディジタル化している。その為、電源をオンしてから一定の状態になるまでに、多くのプロセスを経ることによって非常に時間がかかるようになっている。つまり、ディジタル化された放送受信装置では、リードオンリーメモリ（ＲＯＭ）に各種のソフトウエアを保存している。このために最近のディジタル放送受信装置は、電源がオンされたとき、放送受信装置内の制御部は、ソフトウエアをＲＯＭから読出しランダムアクセスメモリ（ＲＡＭ）に展開し、装置をセットアップするという工程が必要となっている。また、ハードディスクドライブなどを内蔵した放送受信装置もあり、ハードディスクドライブの使用環境も整備する時間を要している。このために、受信した放送信号が、表示部に映像となって表示されるまでには、１０秒位の時間を要するものがあり、ユーザに対して、従来の装置に比べて、最近のデジタル放送受信装置は、待ち時間が多すぎるという感覚を与えている。
【０００６】
そこで本発明は、予め設定した時間帯では待機状態にしておき、電源のオン操作された時点から素早く映像を表示することができるようにした放送受信装置を提供することを目的とする。
【課題を解決するための手段】
【０００７】
本発明の一実施例では、放送信号を受信し、映像信号を出力する受信手段と、前記映像信号を表示する表示手段と、前記表示手段に電源電圧を供給する第１の電源回路と、前記受信手段に電源電圧を供給する第２の電源回路と、前記第２の電源回路が動作状態になる起動補助開始時刻と起動補助終了時刻を設定し、待機状態を得る予約手段と、前記待機状態のときに所定の操作入力があった場合は、前記第２の電源回路の動作状態を維持し、前記第１の電源回路を動作状態に制御する電源制御手段とを有する。
【発明の効果】
【０００８】
上記した実施の形態により、予め設定した時間内では受信手段を動作させておくことによって、その時間帯内に放送受信装置の電源をオンする場合、電源オンの操作時から映像表示までの時間を飛躍的に早めることができる。
【発明を実施するための最良の形態】
【０００９】
以下、図面を参照して本発明の一実施形態に係わる放送受信装置について説明する。
【００１０】
図１は、本実施例における放送受信装置１の基本的要素をブロックで示す図である。アンテナ１１で受信した放送信号は、受信手段１０に供給される。受信手段１０は所望の放送信号を選択して取得し、音声信号を音声出力手段１２へ、映像信号を表示手段１４にそれぞれ供給する。音声出力手段１２は、供給された音声信号を音声として出力する。表示手段１４は供給された信号に所定の信号処理を施し映像を表示する。
【００１１】
１９は表示手段１４へ電力を供給する第１の電源回路である。１３は受信手段１０へ電力を供給する第２の電源回路である。
【００１２】
また、この放送受信装置１は、受信動作を含む動作を、制御手段１６によって統括的に制御されている。制御手段１６は、リモートコントローラ（以下リモコンと略称する）１８によって送出された操作情報を受信したとき、その操作内容が装置に反映されるように各部をそれぞれ制御している。
【００１３】
ここで制御手段１６は、電源制御手段１６ａを有する。この電源制御手段１６ａは，電源スイッチ１５若しくはリモコン１８によって、電源オン又はオフの操作信号が入力された場合、操作信号に応じて第１の電源回路１９及び又は第２の電源回路１３を制御する。また、制御手段１６は、予約手段１６ｂを有する。この予約手段１６ｂは、起動補助設定時刻を設定することができるもので、この起動補助設定時刻は、設定した時間帯に受信手段１０を動作状態にしておくための情報である。またさらに、制御手段１６は、現時刻を参照するための時計手段１６ｃを有する。
【００１４】
図２は、図１に示した制御手段１６を更に細かくブロック化して示す図である。電源制御手段１６ａは、第１の電源回路１９を制御する第１の電源回路制御手段１６ａ１と、第２の電源回路を制御する第２の電源回路制御手段１６ａ２を有する。また、制御手段１６は、電源スイッチ１５若しくはリモコン１８等の操作入力手段によって入力された操作を判別する操作判別手段１６ｄを有する。またさらに、上記した予約手段１６ｂに起動補助設定時刻を設定する際に、設定状態を表示手段１４に表示させるＯＳＤ（オンスクリーンディスプレイ）手段１６ｅを有する。
【００１５】
図３は、予め設定された起動補助設定時刻に基づいて放送受信装置１を待機状態にする際の動作を示すフローチャートである。予め、予約手段１６ｂには放送受信装置１を待機状態にさせる起動補助開始時刻と待機状態を終了させる起動補助終了時刻の情報が設定されている（ステップＳＡ１）。第２の電源回路制御部１６ａ２は、予約手段１６ｂに設定されている起動補助開始時刻を参照すると同時に、時計手段１６ｃより現時刻を参照し、起動補助開始時刻になったかどうかを判断する（ステップＳＡ２）。起動補助開始時刻になった場合、第２の電源回路１３を動作させ、受信手段１０に電力を供給し、動作状態にする（ステップＳＡ３）。第２の電源回路制御部１６ａ２は、起動補助終了時刻と現時刻を参照し、起動補助終了時刻になったかどうかを判断する（ステップＳＡ４）。起動補助終了時刻になった場合、第２の電源回路１３を停止させ、受信手段１０を停止状態にし（ステップＳＡ５）、ステップＳＡ２へ移行する。
【００１６】
上記したように、放送受信装置１の電源がオフされており、起動補助設定時刻が設定されている場合、起動補助設定時刻に受信手段１０を動作状態にしておくことによって、電源スイッチ１５もしくはリモコン１８によって放送受信装置１の電源オンの入力がされた時に、第１の電源回路１９をオンし、表示手段１４を動作させるだけで即座に映像表示させることができる。すなわち、電源をオンしてから映像が表示されるまでの時間を飛躍的に縮めることができる。
【００１７】
図４（ａ）、図４（ｂ）は、起動補助設定メニューの表示例を説明する図である。図１に示したブロックには同一の符号を付して示している。
【００１８】
図４（ａ）は、リモートコントローラー１８を操作することによって表示される起動補助設定の表示例である。起動補助メニュー表示の操作入力があった場合、予約手段１６ｂは起動補助設定の一覧をＯＳＤ手段１６ｅによって表示手段１４に表示させる。
【００１９】
リモートコントローラー１８のカーソルキー及び決定キーを操作し、起動補助開始時刻、起動補助終了時刻を設定することが出来る。また、現在設定されている起動補助設定の一覧を表示することもできる
図４（ｂ）は、起動補助設定の一覧の表示例である。時刻が表示されているセルにカーソルを合わせ、決定キーを押し、カーソルキーの上下、もしくはリモートコントローラーに設置されている選局キーを用いて設定を変更することが出来る。
【００２０】
図５は、放送受信装置１の待機状態及び動作状態の遷移を示すタイムチャートの例である。（ａ）は、図４（ｂ）に示した起動補助設定の状態である。（ｂ）はユーザによって放送受信装置１が操作されたときの電源状態である。（ｃ）は、受信手段１０の電源状態である。いま、図５に示した各部の状態を説明する。
【００２１】
まず、起動補助開始時刻６：００に，第２の電源回路制御手段１６ａ２の出力が（ａ）のようにハイレベルになり、第２の電源が（ｃ）のようにハイレベルとなる。即ち受信手段１０がオンされ待機状態となる。その後、７：００に、操作入力より電源オン操作され、（ｂ）のようにハイレベルになったとする。すると、放送受信装置１の電源（表示部）がオン操作され動作状態となる。
【００２２】
ここで、起動補助終了時刻は１０：００に設定されているが、この例のように（ｂ）がそのままハイレベルである場合は、第２の電源、受信手段も（ｃ）に示すように継続されてオン状態を維持する。１１：００に操作入力が（ｂ）に示すように電源オフを指定しているが、この際に、受信手段が、（ｃ）に示すように同時にオフされる。即ち、起動補助終了時刻経過後、放送受信装置１の動作状態が継続されている場合、放送受信装置１の電源オフの入力操作に応じて受信手段１０の電源がオフされる。
【００２３】
また、１７：００から２１：３０の起動補助設定時間内である１８：００に、（ｂ）に示すように操作入力が電源オフを指定したとする。この場合は、（ａ）でしめされるように、待機時間帯であるために、受信手段は、（ｃ）に示すようにオンされた状態を維持する。即ち、予約手段１６ｂに起動補助終了時刻が設定されており、起動補助終了時刻前に放送受信装置１の電源がオフされた場合、設定されている起動補助終了時刻まで受信手段１０の待機状態を継続させる。
【００２４】
この発明は、上記の実施の形態に限定されるものではない。起動補助終了時刻が設定されていない場合、１時間乃至２時間経過後に待機状態を終了させる起動補助タイマーが追加されてもよい。
【００２５】
図６は、他の実施例における放送受信装置１の動作を示すフローチャートである。図３に示した図に、新たにステップＳＢ４とステップＳＢ７が追加されている。即ち、放送受信装置１が待機状態にあるとき（ステップＳＢ３）、第２の電源回路制御手段１６ａ２は予約手段１６ｂを参照し起動補助終了時刻が設定されているかどうか判断する（ステップＳＢ４）。起動補助終了時刻が設定されている場合、図３のステップＳＡ４と同じフローとなる（ステップＳＢ５）。起動補助終了時刻が設定されていない場合、第２の電源回路制御手段１６ａ２は予約手段１６ｂ、時計手段１６ｃを参照し、起動補助開始時刻より所定の時間（１時間乃至２時間）が経過したかどうか判断する（ステップＳＢ７）。経過していない場合、再びステップＳＢ７にループする。所定の時間が経過している場合、待機状態を終了させる（ステップＳＢ６）。
【００２６】
ここで、起動補助終了時刻が設定されていない場合、待機状態を終了させるまでの所定の時間を１時間乃至２時間としたが、これに限定されるものではない。現実的に可能な範囲で時間はどのように設定しても本実施の形態に支障はない。
【００２７】
上記した実施の形態により、起動補助終了時刻が設定されていない場合でも、待機状態を延々と継続させることはなく、無駄な待機電力を減らすことができる。
【００２８】
図７は、他の実施例における放送受信装置１の起動補助設定メニューの表示例を説明する図である。図１に示したブロックと同一部には、図１と同一の符号を付して示している。
【００２９】
図７（ａ）は、起動補助メニューの一覧の表示例である。図４（ｂ）に示した起動補助設定一覧にさらに、起動補助設定を適用する曜日を指定することができる繰り返し設定と起動補助タイマーが追加されている。
【００３０】
設定１のセルにかかっているハッチングは、カーソルが設定１の上に乗っていることを示している。ここで決定キーを押すと、図７（ｂ）に移行する。
【００３１】
図７（ｂ）は、起動補助を設定するためのメニュー表示例である。起動補助開始時刻及び起動補助終了時刻の上にカーソルを合わせ、決定キーを押し、カーソルキーの上下、もしくはリモートコントローラーに設置されている選局キーを用いて設定を変更することが出来る。繰り返し設定では、その起動補助設定を毎日適用させるか、若しくは曜日指定をし、適用させるかを指定することができる。ここで、曜日指定を選択した場合、図７（ｃ）に移行する。
【００３２】
図７（ｃ）は、繰り返し曜日指定を設定するためのメニュー表示例である。図に示すように曜日が表示され、カーソルを合わせ、決定キーを押すことによって設定が適用される曜日が選択される。選択された曜日は、ハッチングがかけられ表示される。ここでは、月曜日、木曜日、金曜日に起動補助開始が６時、起動補助終了が１０時の設定が適用されることを示している。
【００３３】
また、図７（ａ）では、設定２の起動補助終了時刻が設定されていない状態を示されている。この場合、待機状態を継続する時間は、起動補助タイマーの設定時間に連動される。起動補助タイマーのセルを選択し決定キーを押した場合、図７（ｄ）に移行する。図７（ｄ）では、起動補助タイマーが２時間に設定されていることが示されている。即ち、起動補助終了時刻が設定されていない設定２では、１１時半に放送受信装置１を待機状態にし、その２時間後である１３時半に待機状態を終了させる。この起動補助タイマーは操作入力手段により変更することができる。
【００３４】
ここで、起動補助設定は３個となっているが、これに限定されない。起動補助設定時刻が重複しない限りいくつ追加してもよい。
【００３５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３６】
【図１】図１は、本実施例における放送受信装置１の基本的要素をブロックで示す図である。
【図２】図２は、図１に示した制御手段１６を更に細かくブロック化し示す図である。
【図３】図３は、予め設定された起動補助設定時刻に基づいて放送受信装置１を待機状態にする際の動作を示すフローチャートである。
【図４】図４は、起動補助設定メニューの表示例を示す図である。
【図５】図５は、放送受信装置の電源状態の遷移を示すタイムチャートである。
【図６】図６は、他の実施例における放送受信装置１の動作を示すフローチャートである。
【図７】図７は、他の実施例における起動補助設定メニューの表示例を示す図である。
【符号の説明】
【００３７】
１…放送受信装置、１０…受信手段、１１…アンテナ、１２…音声出力手段、１３…第２の電源回路、１４…表示手段、１５…電源スイッチ、１６…制御手段、１８…リモートコントローラー、１９…第１の電源回路。
【図１】
2007150978.tif 000003
【図２】
2007150978.tif 000004
【図３】
2007150978.tif 000005
【図４】
2007150978.tif 000006
【図５】
2007150978.tif 000007
【図６】
2007150978.tif 000008
【図７】
2007150978.tif 000009